Podtech/llm-jp-corpus-v4-ja_patent huggingface dataset:
(57)【要約】      （修正有）【課題】点滴中に、高齢者、子供、認知症の患者（自己抜去のリスクがある患者さん対象）に点滴の針刺部の観察ができるようにした点滴針引き抜き防止及び観察具を提供する。【解決手段】四角形であって網目状の保護部材２と、該保護部材の四辺に保護枠３を設け、該保護枠の対向する２辺の延長線上にはそれぞれ取付紐４を設け、それぞれの取付紐と保護枠とを面ファスナー５で着脱自在に接合できる様にする。【選択図】図１
0003142147.tif 000002
【実用新案登録請求の範囲】
【請求項１】
四角形であって網目状の保護部材を有し該保護部材の四辺には保護枠を設け、更に保護枠の対向する２辺の延長上にはそれぞれ取り付け紐を設けて、それぞれの取り付け紐と保護枠とを面ファスナーで着脱自在に接合することを特徴とした点滴保護具。
【考案の詳細な説明】
【技術分野】
【０００１】
本考案は、点滴刺入部の保護と自己抜去防止のための保護具に関するものである                                                      
【背景技術】
【０００２】
病院において、点滴の事故予防と患者さんの負担軽減のために従来は、絆創膏で固定し、ストッキネットを使用する保護具があった。
【考案の開示】
【考案が解決しようとする課題】
【０００３】
点滴刺入部保護の為（自己抜去のリスクのある患者さん対象）ストッキネットを上肢に装着し、刺入部の観察ができるように窓を開けて、作成したが刺入部が露出してしまう為前述の欠点を解決しようとするものである、
【課題を解決するための手段】
【０００４】
本考案は、四角形であって網目状の保護部材を有し該保護部材の四辺には保護枠を設け、更に保護枠の対向する２辺の延長上にはそれぞれ取り付け紐を設けて、かつ、それぞれの取り付紐と保護枠とを面ファスナーで着脱自在に接合することを特徴とした点滴保護具。刺入部の露出をなくし刺入部周辺の皮膚の観察がしやすいように、
ナイロンチュールを使用し、四辺をシーチングで保護枠を設け面ファスナーで上肢の太さに応じて装着が適応できるようにし問題の改善ができるようにした。
【考案の効果】
【０００５】
上述の様に、本考案の点滴保護具は、刺入部と周辺の皮膚の観察がし易く、上下肢どちらでも装着適応可能となり洗濯も可能となる。装着時間も短縮される。
【考案を実施するための最良の形態】
【０００６】
ナイロンチュールを二枚重ね、長方形で縦、横をシーチング布バイアスで包み、保護枠取り付け紐を設け、更に上下肢部に自在に調節ができるように保護枠と取り付け紐には面ファスナーを付け、装着、脱着を簡単にした。
【実施例】
【０００７】
以下、図面に従って一実施例を説明する。
１はナイロンチュールを二重にした本考案の点滴保護具  
２は装着する為のシーチング布巾のパイピングからなる保護部材
３は保護枠
４は取り付け紐
５は面ファスナー（フック及びループ）からなり、上下肢への装着が自在となる。
【０００８】
本考案の一実施例は、上述の如き構成からなるものであるから、点滴針の刺入部の観察、装着時間の短縮となる。                                                                                                        
【図面の簡単な説明】
【０００９】
【図１】本考案の点滴保護具の実施例を示す正面図である。
【図２】本点滴保護具を腕に装着した例を示す図面である。
【符号の説明】
【００１０】
１      点滴保護具
２      保護部材
３    保護枠
４      取り付け紐
５    面ファスナー
【図１】
0003142147.tif 000003
【図２】
0003142147.tif 000004
(57)【要約】【課題】軽量で使い易く、かつ、安価に製造することができ、しかも、使用時に水が臀部に当って跳ね返り、介護者の衣類ないし手等を汚すおそれがないようにした臀部洗浄器を提供する。【解決手段】弾性を有する水収納容器１の一端１ａに水の噴出孔５を設け、該水収納容器１の当該一端１ａに透明な跳ね返り防止体７を備えさせたことを特徴とする臀部洗浄器。前記水収納容器１には水収納容器１内の水を適度な温度まで加温することができる加温手段を着脱自在に備えさせる。【選択図】図１
0003142146.tif 000002
【実用新案登録請求の範囲】
【請求項１】
弾性を有する水収納容器の一端に水の噴出孔を設け、該水収納容器の当該一端に透明な跳ね返り防止体を備えさせたことを特徴とする臀部洗浄器。
【請求項２】
前記水収納容器には加温手段を着脱自在に備えさせたことを特徴とする請求項１に記載の臀部洗浄器。
【考案の詳細な説明】
【技術分野】
【０００１】
本考案は、臀部洗浄器に関するものであり、特に乳幼児、病人、けが人、ねたきり者等のオムツ着用者のオムツを介護者が交換する際に、該オムツ着用者の臀部を洗浄するための臀部洗浄器に係るものである。
【背景技術】
【０００２】
このような臀部洗浄器としては、特開２０００−１６６８０１号公報に示すものが既に知られている。以下、特開２０００−１６６８０１号公報に示す臀部洗浄器を「従来の臀部洗浄器」という。
【０００３】
従来の臀部洗浄器は、給水蓋を設けた容器内に電池と該電池により駆動されるモータとを配設し、該モータにより作動するポンプを介して容器外に延出する噴出孔を有するノズルを備えていることを特徴とするものである。
【特許文献１】特開２０００−１６６８０１号公報
【考案の開示】
【考案が解決しようとする課題】
【０００４】
しかるに、上記従来の臀部洗浄器は、電池、モータ、ポンプ等を備えているため、全体が重くなり、オムツ着用者の臀部を洗浄する際に介護者に過度の負担を強いるものである。
【０００５】
また、上記従来の臀部洗浄器は、電池、モータ、ポンプ等を備えているため、コスト高の謗りを免れない。
【０００６】
さらに、上記従来の臀部洗浄器においては、オムツ着用者の臀部を洗浄する際に臀部洗浄器から噴出された水が臀部に当って跳ね返り、介護者の衣類ないし手等を汚すおそれがある。
【０００７】
本考案は、上記従来の臀部洗浄器における上述の如き問題を解決し、軽量で使い易く、かつ、安価に製造することができ、しかも、使用時に水が臀部に当って跳ね返り、介護者の衣類ないし手等を汚すおそれがないようにした臀部洗浄器を提供しようとしてなされたものである。
【課題を解決するための手段】
【０００８】
上記課題を解決するために、本考案は、下記の臀部洗浄器を提供するものである。
（１）弾性を有する水収納容器の一端に水の噴出孔を設け、該水収納容器の当該一端に透明な跳ね返り防止体を備えさせたことを特徴とする臀部洗浄器（請求項１）。
【０００９】
（２）前記水収納容器には加温手段を着脱自在に備えさせる（請求項２）。
【考案の効果】
【００１０】
［請求項１の考案］
請求項１の臀部洗浄器は、弾性を有する水収納容器を手で把持しつつ該水収納容器を圧縮することにより水収納容器内の水を噴出孔より噴出させるようにしたものであるため、極めて軽量で使い易く、かつ、安価に製造することができる。さらに、水の噴出時に被介護者の臀部に臨む水収納容器における噴出孔を設けた一端には、水の跳ね返り防止体を備えさせているため、噴出孔から噴出された水が被介護者の臀部に当って跳ね返っても、該水が介護者の衣類ないし手等を汚すおそれはない。また、該跳ね返り防止体は透明であるため、介護者は該跳ね返り防止体を通して被介護者の臀部を見ることができる。
【００１１】
［請求項２の考案］
水収納容器には加温手段を着脱自在に備えさせているため、臀部洗浄器の使用前に該加温手段により水収納容器内の水を適度な温度まで加温することができる。したがって、被介護者の臀部に心地良い温度の水を噴出させることができる。加温手段は、水収納容器に対し着脱自在であるため、臀部洗浄器の使用時には、介護者は水収納容器を該加温手段から取り外した状態で使用することができる。すなわち、臀部洗浄器は、使用時には極めて軽量で使い易いものである。
【考案を実施するための最良の形態】
【００１２】
符号１に示すものは、被介護者の臀部に噴出させる水を収納する水収納容器である。
【００１３】
水収納容器１は弾性を有する。すなわち、水収納容器１を手で圧縮したときに、該水収納容器１内の水が外方に噴出し、圧縮を解除したときに、該水収納容器１が元の形状に復帰するようになす。
【００１４】
水収納容器１は、一例としてポリエチレンにより形成する。
【００１５】
水収納容器１は、一端１ａにキャップ３を該水収納容器１に対し着脱自在に備えている。キャップ３は、一例として、図３に示すように、水収納容器１の前記一端１ａに螺合されている。
【００１６】
水収納容器１内に水を注入し、該水収納容器１から水を取り出し、又は該水収納容器１内を掃除する際等には、キャップ３を該水収納容器１の一端１ａから取り外す。
【００１７】
水収納容器１の前記一端１ａには水の噴出孔５を設ける。
【００１８】
図示の事例においては、水の噴出孔５は、水収納容器１の前記一端１ａに取り付けられたキャップ３と一体的に形成されている。
【００１９】
水収納容器１の当該一端１ａには透明な跳ね返り防止体７を備えさせる。
【００２０】
跳ね返り防止体７は、形状の如何を問わない。図１に示す跳ね返り防止体７は、水収納容器１の長さ方向と直角に配設された略半円形をなす板状体である。図２、図３に示す跳ね返り防止体７は、水収納容器１の長さ方向と直角に配設された略半円形部７ａの周縁より略半円筒状部７ｂを前方に延設してなるものである。
【００２１】
跳ね返り防止体７は、一例として、図３に示すように、水収納容器１の前記一端１ａ付近の肩部１ｂとキャップ３との間に挟着する。
【００２２】
水収納容器１には加温手段９を着脱自在に備えさせる。
【００２３】
加温手段９は、水収納容器１内の水を例えば４０℃前後の適度な温度まで加温することができるものであれば、如何なるものであってもよいが、一例として電気ヒータとする。
【図面の簡単な説明】
【００２４】
【図１】本考案による臀部洗浄器の一例を示す斜視図である。
【図２】同上臀部洗浄器の別の一例を示す斜視図である。
【図３】水収納容器に跳ね返り防止体を取り付けた状態の一例を示す断面図である。
【符号の説明】
【００２５】
１  水収納容器
１ａ  一端
１ｂ  肩部
３  キャップ
５  噴出孔
７  跳ね返り防止体
７ａ  略半円形部
７ｂ  略半円筒状部
９  加温手段
【図１】
0003142146.tif 000003
【図２】
0003142146.tif 000004
【図３】
0003142146.tif 000005
(57)【要約】      （修正有）【課題】従来の塩水作製装置に比べて、急速に塩を溶解し、極めて短時間で所望の濃度の塩水を作製する装置を提供する。【解決手段】予め計量された塩を、前記塩の粒子よりも細かいメッシュのネット１に収容し、前記ネット１を、上方が開口し、かつ側面上部に複数の穴の開けられた塩水作製容器内３に収容し、前記塩水作製容器３を、上方が開口した塩水作製タンク６に収容し、前記塩水作製タンク６の側面下部と循環ポンプ４とをパイプ７で連結し、前記循環ポンプ４と前記塩水作製容器３の側面下部とをパイプ５で連結して構成し、前記循環ポンプ４の作動により、前期塩水作製容器３内に生じた一定の流速の水流によって前記ネット１を揺動させることによって、前記ネット１内の塩を溶解する。【選択図】図１
0003142198.tif 000002
【実用新案登録請求の範囲】
【請求項１】
予め計量された塩を、前記塩の粒子よりも細かいメッシュのネットに収容し、
前記ネットを上方が開口し、かつ側面上部に複数の穴の開けられた塩水作製容器内に収容し、
前記塩水作製容器を、上方が開口した塩水作製タンクに収容し、
前記塩水作製タンクの側面下部と循環ポンプとをパイプで連結し、
前記循環ポンプと前記塩水作製容器の側面下部とをパイプで連結して構成し、
前記循環ポンプの作動により、前記塩水作製容器内に生じた一定の流速の水流によって前記ネットを揺動させることによって、前記ネット内の塩を溶解することを特徴とする塩水作製用塩溶解装置。
【請求項２】
底部に移動手段を設けたことを特徴とする、請求項１に記載の塩水作製用塩溶解装置。
【考案の詳細な説明】
【技術分野】
【０００１】
本考案は、塩水をミストにして噴霧し、各種材料の耐腐食性を調べる塩水噴霧試験機に使用される塩水を作製する装置に関する。
【背景技術】
【０００２】
塩水噴霧試験機は、金属及びめっき、塗装、酸化皮膜などの表面処理を行った金属の防錆、防食効果を調べる試験機である。従来、塩水噴霧試験機において使用される塩水は、塩水噴霧試験機とは別に設けた塩水作製タンク内に水を入れて、更に塩を直接投入し、循環ポンプで水を送入、循環させて塩を溶解することによって、通常塩濃度５％の塩水を作製していた。
【考案の開示】
【考案が解決しようとする課題】
【０００３】
しかしながら、従来の装置では、塩水作製タンク内に塩を投入したとき、塩は拡散するが、コーナー、底面など、水の流速の遅い所に滞留し、塩が溶解するのに時間がかかってしまうという問題があった。また、溶解する時間が長くかかるため、早急に所望の濃度の塩水が必要な場合には、わざわざ棒でタンク内の水を攪拌して塩を溶解する、という手間もかかった。
【課題を解決するための手段】
【０００４】
本考案の装置は、予め計量された塩を、前記塩の粒子よりも細かいメッシュのネットに収容し、前記ネットを上方が開口し、かつ側面上部に複数の穴の開けられた塩水作製容器内に収容し、前記塩水作製容器を、上方が開口した塩水作製タンク内に収容し、前記塩水作製タンクの側面下部と循環ポンプとをパイプで連結し、前記循環ポンプと前記塩水作製容器の側面下部とをパイプで連結して構成し、前記循環ポンプの作動により、前記塩水作製容器内に生じた一定の流速の水流によって前記ネットを揺動し、前記ネット内の塩を溶解させることによって、上記の課題を解決するものである。
【０００５】
また、本装置の底部に移動手段を設けることにより、装置を持ち上げて別の場所に移動させなくても、移動手段により容易に装置を移動させることができる。
【考案の効果】
【０００６】
塩に効率よく水流を当てることで、従来の装置に比べ、極めて短時間で塩を溶解することができる。棒で水を攪拌する労力も必要なく、コストの面においても、従来の装置にネットと塩水作製容器を追加しただけなので、ほとんど差はない。さらに、（００１２）で触れているように、本考案の装置は、作製タンク内の水を循環させるポンプの作動時間が、従来装置よりも極めて短くて済むので、省エネルギーの面においても効率がよく、従来装置よりも格段に優れており、実用性が高い。
【考案を実施するための最良の形態】
【０００７】
以下、本考案を具体化した一実施例に基づき図面を参照しつつ説明する。図１は、本装置の一実施例を示した全体構成図である。ネット１には予め計量された塩が収容されており、ネットの口は閉じられている。ネット１のメッシュは、収容された塩の粒子よりも細かいものであることは、言うまでもない。
【０００８】
前記ネット１を、上方が開口し、かつ側面上部に複数の穴2を開けられた円筒形の塩水作製容器３内に収容する。この塩水作製容器３の側面下部と、循環ポンプ４は、パイプ５によって連結されている。
【０００９】
塩水作製容器３は、上方が開口した塩水作製タンク６内に収容され、この塩水作製タンク６の側面下部と循環ポンプ４とは、パイプ７によって連結されている。
【００１０】
塩水作製タンク６内には、一定の塩濃度になるように、予め計量された水を入れており、循環ポンプ４によって、この水を循環させる。パイプ５、７内の矢印は循環経路を示している。詳しく説明すれば、循環ポンプ４によって、パイプ５を介して塩水作製容器３の側面下部より容器内に流れ込んだ水は、更に穴２から塩水作製タンク６内に流れ込む。塩水作製タンク６内に流れ込んだ水は、塩水作製タンク６の側面下部に取付けられたパイプ７を介して循環ポンプ４に吸引される。
【００１１】
この時、塩水作製容器３内には、側面下部から水を入れるので、全体的に一定の流速の水流が生じ、攪拌される。そして、塩水作製容器３内に収容されたネット１の中の塩は、塩の粒子よりも細かいメッシュのネットに収容されているため、塩水作製容器３の外へ流れ出ることなく、効率良く一定の流速の水流にあてられ、急速に溶解される。
【００１２】
また、図示はしないが、本装置の底部に移動手段を設けることにより、装置を持ち上げて別の場所に移動させることなく、容易に装置を移動させることができる。
【００１３】
本考案の装置の作用効果を実証するデータを示す。従来の塩溶解装置と、本考案の塩溶解装置で、循環ポンプから吐出される水の流速を同一にして、３０リットルの水の中に１５００グラムの塩を溶解した。すると、従来の塩溶解装置では、約４０分で濃度４．８パーセントの塩水になったのに対し、本考案の塩溶解装置では、約１分で同じ濃度の塩水になった。このデータから、両者の溶解時間には格段の差があることが理解できる。
【図面の簡単な説明】
【００１４】
【図１】本考案に係る塩水製造装置の一実施例の全体構成図である。
【符号の説明】
【００１５】
１・・・ネット
２・・・穴
３・・・塩水作製容器
４・・・循環ポンプ
５・・・パイプ
６・・・塩水作製タンク
７・・・パイプ
８・・・パイプ固定部
【図１】
0003142198.tif 000003
(57)【要約】      （修正有）【課題】酒器の貯蔵・保管に場所を取らず一個の容器に収容できる液体、すなわち焼酎の量を多くし、宴会などで多数の客が飲酒する場合でも効率的にサービスできる酒器を提供する。【解決手段】底辺が、木の葉状の有底筒状の容器であって、側板の左右両先端部の上端をやや外側に嘴状７に突出させるとともに、上板３の左右両先端を鋭角三角形に切欠き、嘴状の部分と切欠部を合体させて菱形の開口部９を形成してなることを特徴とする両口の彫金製酒器である。【選択図】図１
0003142117.tif 000002
【実用新案登録請求の範囲】
【請求項１】
底辺が、木の葉状の有底筒状の容器であって、側板の左右両先端部の上端をやや外側に嘴状に突出させるとともに、上板の左右両先端を鋭角三角形に切欠き、嘴状の部分と切欠き部を合体させて菱形の開口部を形成してなることを特徴とする両口の彫金製酒器。
【請求項２】
取手が、略垂直に立てた状態と、略水平に倒した状態でストップされるよう構成されていることを特徴とする請求項１記載の両口の彫金製酒器。
【請求項３】
取手の直接手の触れる部分に屋久杉の薄板を貼着してなることを特徴とする請求項１又は２記載の両口の彫金製酒器。
【請求項４】
蓋のつまみの直接手の触れる部分に屋久杉を使用してなる円筒状管を装着してなることを特徴とする請求項１乃至３のいずれか１項記載の彫金製酒器。
【考案の詳細な説明】
【技術分野】
【０００１】
本考案は、底辺が木の葉状の有底筒状の容器であって、相対する両側面に注ぎ口を有する両口の彫金製酒器に関する。
【背景技術】
【０００２】
さつま芋焼酎は、古くは独特のいも臭があり、いくらかでもそのいも臭を少なくするため、偏平な陶器製の黒ぢょかを用いて燗をつけて飲むことが行なわれていた。彫金製酒器としても黒ぢょかと類似した形態のものが開示されている（例えば、特許文献１参照。）。
【０００３】
しかし、近年いも焼酎の製造技術は著しく進歩し、従来のような不快な臭いを感じさせるものは殆んど見られなくなり、偏平な黒ぢょか風の存在意義は薄くなったものと感じられる。
黒ぢょかは、全体が偏平なため、保管に場所を取り、一個の容器に収容できる液体の量も少なく、宴会などで多数の客が飲酒する場合に不便であった。
【０００４】
なお、両口の酒器に対し両口の急須は既に開示されているが、これは、茶漉しに茶葉が密着して茶の出が悪くなることを防ぐために考案されたものであって、固体成分が全くない焼酎の容器とは目的・効果が全く異なる（例えば、特許文献２参照。）。
【０００５】
【特許文献１】実用新案登録第３１１６９２８号
【特許文献２】実用新案登録第３１３０９２０号
【考案の開示】
【考案が解決しようとする課題】
【０００６】
酒器の貯蔵・保管に場所を取らず、一個の容器に収容できる液体、すなわち焼酎の量も多くし、宴会などで多数の客が飲酒する場合でも効率的にサービスできる酒器を提供することを本考案の目的とする。
【課題を解決するための手段】
【０００７】
本考案の第１は、底辺が、木の葉状の有底筒状の容器であって、側板の左右両先端部の上端をやや外側に嘴状に突出させるとともに、上板の左右両先端を鋭角三角形に切欠き、嘴状の部分と切欠き部を合体させて菱形の開口部を形成してなることを特徴とする両口の彫金製酒器である。
【０００８】
本考案の第２は、取手が、略垂直に立てた状態と、略水平に倒した状態でストップされるよう構成されていることを特徴とする請求項１記載の両口の彫金製酒器である。
【０００９】
本考案の第３は、取手の直接手の触れる部分に屋久杉の薄板を貼着してなることを特徴とする請求項１又は２記載の両口の彫金製酒器である。
【００１０】
本考案の第４は、蓋のつまみの直接手の触れる部分に屋久杉を使用してなる円筒状管を装着してなることを特徴とする請求項１乃至３のいずれか１項記載の彫金製酒器である。
【考案の効果】
【００１１】
彫金製酒器全体の形状が、底辺が木の葉状の有底筒状となっているため、黒ぢょか風の偏平な容器より狭い面積で大量の焼酎を保管・使用でき、有効に空間を利用できる。また鶴首状の注ぎ口等容器から突出した筒所が少ないのも本考案の特徴であり、使用にあたって破損等のおそれも少ない。
【００１２】
注ぎ口が菱形の開口部となっていて、容器中の焼酎の量が変化しても注ぎ方がスムーズに出来、効果的にお酌ができる。
【００１３】
彫金製酒器を使用するとき、取手は垂直状態にストップし、彫金製酒器を保管するときは、取手を水平状態にストップすることで、彫金製酒器を使用するときも、保管するときも便利が良い。
【００１４】
取手の直接手の触れる部分に屋久杉の薄板を貼着することで、焼酎の燗が熱いときでも直接熱が手に伝わるのを防ぐことができる。また、蓋のつまみの直接手に触れる部分も屋久杉を使用してなる円筒状管を装着することで同様の効果が期待できる。
【００１５】
彫金製酒器の注ぎ口が相対する側面にそれぞれ設けられている理由は、宴会等で相対して飲酒する場合、互に焼酎あるいは酒を注ぎ合うとき、彫金製酒器の向きを一々変換させる必要がないことは大きなメリットである。また、左利きの人や右利きの人の場合でも使用するのに便利である。
【００１６】
また、本考案で彫金製としたのは、加工が容易で、しかも堅牢で破損し難いこと及びいろいろな装飾ができ、美観に優れているためである。
【考案を実施するための最良の形態】
【００１７】
以下、本考案の実施の形態を図１〜図４に基いて説明する。
図１は、本考案の彫金製酒器１の斜視図である。底辺が木の葉状の有底筒状の形態で、側板２及び上板３は通常槌目等で装飾が施されている（図面では模様は省略。）。
屋久杉の薄板１０は、取手４の一部に貼着され、つまみ６には屋久杉を使用してなる円筒状管が装着されている。
彫金酒器１を収納するときは、取手４は水平に倒した状態にし、蓋５は裏返しにしてつまみ６が容器中に入るようにする。
【００１８】
図２は、本考案の彫金製酒器の平面図であり、図３は側面図である。
【００１９】
図４（イ）は、取手を垂直にした状態、図４（ロ）は取手を水平に倒した状態の側面図である。
取手４の下端は半円状になっていて、軸１４で回転可能に支持されている。
軸１４は、支持金具１１で支持されているが、支持金具１１は、背の高い上側端１２の部分と背の低い下側端１３の部分からなり、取手４が上側端１２に接すると垂直に保持され、下側端１３に接すると水平の状態となる。
【図面の簡単な説明】
【００２０】
【図１】本考案の彫金製酒器の斜視図である。
【図２】本考案の彫金製酒器の平面図である。
【図３】本考案の彫金製酒器の側面図である。
【図４】（イ）本考案の取手部分の拡大説明図（垂直状態）である。            （ロ）本考案の取手部分の拡大説明図（水平状態）である。
【符号の説明】
【００２１】
１  彫金製酒器
２  側板
３  上板
４  取手
５  蓋
６  つまみ
７  嘴状の突起
８  切込
９  菱形の開口部
１０  屋久杉の薄板
１１  支持金具
１２  上側端
１３  下側端
１４  軸
【図１】
0003142117.tif 000003
【図２】
0003142117.tif 000004
【図３】
0003142117.tif 000005
【図４】
0003142117.tif 000006
(57)【要約】      （修正有）【課題】交差点内での出逢い頭の交通事故の減少を目的とするための防止装置を提供する。【解決手段】自動車の最前端部の左右に伸縮可能な２本のアンテナ棒を設け、このアンテナ棒の先端にカメラを取付けて、自動車が交差点に進入する前にアンテナを伸して進入以前に交差点内の状況を確認して事故を防止する。【選択図】図１
0003142156.tif 000002
【実用新案登録請求の範囲】
【請求項１】
自動車最前端部の左右に伸縮可能の２本のアンテナ棒Ａ・Ｂを設け、該アンテナ棒Ａ・Ｂの先端に監視用カメラ（１）を取付たことを特徴とした自動車衝突防止装置。
【考案の詳細な説明】
【技術分野】
【０００１】
本考案は、自動車同士の交差点での出逢い頭の事故防止装置に関する。
【背景技術】
【０００２】
統計上、自動車同士の交通事故は交差点での事故が最も多いといわれている。この事故の原因は、１．信号無視、２．出逢い頭の事故、３．右折不注意の点があげられている。中でも最近パトカーによる出逢い頭の事故が増えている。これはパトカーが追跡中赤信号で交差点に進入するとき、サイレンを鳴らしながら、しかも、マイクで注意を呼びかけながら進入するが、しかし、青信号で走行している左右の自動車に「サイレン」と「呼びかけ」がどのくらい注意が届いているかは不明である。
【特許文献１】特開２００５−１１４５４２号公報
【考案の開示】
【考案が解決しようとする課題】
【０００３】
また前記パトカーの場合を除いても一般自動車が信号のない交差点やＴ字路内で一時停止を行っても、停止線で止って左右を確認しても、停止線が少し手前にあり、しかも運転手（席）が車体より後にあるため、左右を確認しても、死角が出来て事故を起す原因となっている。
【課題を解決するための手段】
【０００４】
考案者は、このような事故を無くすため鋭意研究を重ねた結果、本考案に到達したものであって、本考案は、図１に示すように自動車の最先端に伸縮可能な２本のアンテナ棒Ａ・Ｂを左右に配し、この先端にカメラ（１）を装着し、このカメラの映像を運転席のモニター（２）に映し出され、運転者及び助手席に乗車している助手が確認することが出来
ることとする。このアンテナＡ・Ｂは伸縮可能として最大長は１ｍ位とし、交差点に進入する手前で伸出させる。
【考案の効果】
【０００５】
本考案は、このように自動車の先端にカメラを取付けて左右を監視して確認できるため、衝突の危険を少しでも事前に知ることができるもので、パトカーのような緊急自動車はもとより、一般車に取りつけてきわめて有効で、この作用効果は顕著である。
【実施例】
【０００６】
添付図面により本考案の実施例を説明すると、図１はカメラ（１）付きのアンテナ棒Ａ（Ｂ）を前方に突出した実施例図であり、このアンテナ棒Ａ（Ｂ）の延伸長さは約１ｍ位とし、この伸縮操作は運転席のハンドル脇の作動ボタン（３）の作用による。
【０００７】
図２は運転席前面のボード板の略図であって、ハンドルの左側にモニター画面（２）が設けてあり、２分割されていて、このモニター画面の左面には左カメラＡからの映像が写り、右面には右カメラＢからの映像が写し出されて前方交差点内の左右の確認ができる。
【０００８】
図３は交差点内の実施例図であって、この実施例図をパトカーで想定すると、パトカーＰは、赤色燈をつけ、サイレンを鳴らして赤信号の交差点に進入しかかる。マイクで注意し、本考案のアンテナ棒を伸ばし、これに映る映像がモニター（２）に現れ交差点内が確認できる。この時間の判断でパトカーＰの事故の発生が激減する。
【０００９】
以上、パトカーＰのみについて述べたが、一般車輌の飛び出し事故についても本考案の防止装置を採用することにより減少するものである。
【産業上の利用可能性】
【００１０】
上述のように、本考案の自動車衝突防止装置は、前方にアンテナを突出させて左右が確認できるため、パトカーや消防車等の救急車輌はもとより一般車輌に取付けて交差点での衝突事故を少なくすることができるものと確信できるため、本装置の利用は大きく、この社会に貢献する度合いも大である。
【図面の簡単な説明】
【００１１】
【図１】アンテナＡを伸した側面図
【図２】運転席内部の実施例図
【図３】走行中の実施例図
【符号の説明】
【００１２】
１  カメラＡ・Ｂ伸縮するアンテナ
２  モニター画面
３  アンテナ棒作動ボタン
【図１】
0003142156.tif 000003
【図２】
0003142156.tif 000004
【図３】
0003142156.tif 000005
(57)【要約】      （修正有）【課題】  携帯電話機が最も普及している女子中高生向の可愛い形状携帯電話機を提供する。【解決手段】  携帯電話機の押ボタンをハート型とすることによって携帯電話機を可愛い形状とした。【選択図】図１
0003142155.tif 000002
【実用新案登録請求の範囲】
【請求項１】
携帯電話機の押ボタン（１）を、ハート型形状としたことを特徴とした携帯電話機の押ボタン。
【考案の詳細な説明】
【技術分野】
【０００１】
本考案は、携帯電話機の表面に列設されている押ボタンの形状に関する。
【背景技術】
【０００２】
全国民の７８％以上と広く普及利用されている携帯電話機の押ボタンは、一般に丸型や四角型に限られていて何らの変化がない。
【特許文献１】特開２００７−２３５７６３号公報
【考案の開示】
【考案が解決しようとする課題】
【０００３】
日本の女子中・高生の間では１００％近い所持率がある。中には１人で２台以上も所持していて相手によって使い別けていることもあるといわれている。そして、このような若い女子が所有している携帯電話機も、最近では、可愛いデコレーションが付いたものや、器機自体の色も派手になってきてはいるものの、押ボタンについては相変わらずの丸型や四角型であって一向に変化がない。
【課題を解決するための手段】
【０００４】
考案者はこの点について種々検討の結果本考案に到達したものであって、本考案は、押ボタン（１）の形状をハート型とすることによって、可愛い形の携帯電話機を提供するものである。
【考案の効果】
【０００５】
本考案は、女子中高生の間で所有する携帯電話において、電話機本体の、色やアクセサリーに加えて、押ボタン（１）をハート型とすることによって、一層可愛らしさが強調されて友達仲間の間で人気が出て普及する作用効果は特に顕著である。
【実施例】
【０００６】
添付図面により本考案を説明すると、図１は携帯電話機Ａの全体を示す展開図であって、通常の型式であり、この押ボタン（１）をハート型の形状とするものである。
【０００７】
図２はこのハート型の押ボタン（１）の拡大図を示している。この押ボタン（１）の表面には当然のことで、数字と仮名文字が加印されている。本考案にあっては、押ボタン（１）の形状を、ハート型とすることによって、押ボタン（１）のハート型状の左側に数字を、右側に仮名文字を加印し易く、判別が便利となる。
【産業上の利用可能性】
【０００８】
上述のように本考案のハート型押ボタンは携帯電話機の最も普及率の高い女子中高生向きとすることにより、この利用可能性はきわめて高く、携帯電話機の押ボタンに限ることなく、これ以外、電算機や電子辞書等の電子器機の押ボタンにも採用することも可能である。
【図面の簡単な説明】
【０００９】
【図１】携帯電話機の全体図
【図２】押ボタンの拡大図
【符号の説明】
【００１０】
１  押ボタン
Ａ  携帯電話機
【図１】
0003142155.tif 000003
【図２】
0003142155.tif 000004
(57)【要約】      （修正有）【課題】コストが安く、人体の背部を緩衝支承する椅子の背もたれ構造を提供する。【解決手段】背もたれは、主に、背もたれ板１と背もたれパッド２とからなる。背もたれ板は、スロットを有するフレーム槽１１を設置する。背もたれパッドは、弾性パッド２２により被覆されると共に、外フレーム２１で囲まれる。外フレームの後端は、スロットに対応する複数の鞘２１１を凸伸する。弾性パッドが外フレームからフレーム槽中に設置されて、背もたれ板が弾性パッドを安定して固定する。【選択図】図１
0003142157.tif 000002
【実用新案登録請求の範囲】
【請求項１】
椅子の背もたれ構造であって、背もたれは主に、背もたれ板と背もたれパッドとからなり、
前記背もたれ板は、スロットを有するフレーム槽を設置し、
前記背もたれパッドは、弾性パッドにより被覆されると共に、外フレームで囲まれ、前記外フレームの後端は、前記スロットに対応する複数の鞘を凸伸し、
上述の素子により、前記背もたれパッドは前記鞘が前記スロットとしっかりと固定され、前記弾性パッドの辺縁が前記外フレームと前記フレーム槽間に設置されて、軟、硬質が交互に挟圧されてなることを特徴とする椅子の背もたれ構造。
【請求項２】
前記弾性パッドは、直接、前記弾性フレームを射出して結合してもよいことを特徴とする請求項１に記載の椅子の背もたれ構造。
【請求項３】
前記背もたれ板のフレーム槽下方に、トラックを有する腰用調整パッドを設置し、異なる体型の使用者に合わせて高さを調整することができることを特徴とする請求項１に記載の椅子の背もたれ構造。
【考案の詳細な説明】
【技術分野】
【０００１】
本考案は椅子の背もたれ構造に関し、コストが安く、人体の背部を緩衝支承する目的を達成する椅子の背もたれ構造に関するものである。
【背景技術】
【０００２】
公知の弾性緩衝功能を有する椅子の背もたれ構造設計は、主に、木板にクッションを組み合わせるか、或いは、背もたれフレームにネットを組み合わせるかによって構成され、その目的は、どれも、背もたれは弾性物質の設置により弾性緩衝の効果を有し、着席者に快適な座り心地を提供するものである。
【０００３】
しかし、公知技術中、この快適さを追求するための技術手段は、どれも、弾性物質（クッション、或いは、ネット）をフレーム体（木板か背もたれフレーム）に重ねて設置するので、大量に材質を重畳するため、コストがかかる。
【考案の開示】
【考案が解決しようとする課題】
【０００４】
本考案の目的は、椅子の背もたれ構造を提供し、上述の問題を解決することにある。
【課題を解決するための手段】
【０００５】
本考案の椅子の背もたれ構造は、主に、背もたれ板と背もたれパッドからなり、背もたれ板は、スロットを有するフレーム槽を設置する。背もたれパッドは、弾性パッドにより被覆されると共に、外フレームで囲まれる。外フレームの後端は、スロットに対応する複数の鞘を凸伸する。弾性パッドが外フレームからフレーム槽中に設置されて、背もたれ板が弾性パッドを安定して固定するので、以下のような効果が得られる。
【考案の効果】
【０００６】
本考案の椅子の背もたれ構造は、フレーム槽を有する背もたれ板に、弾性緩衝効果がある背もたれパッドを組み合わせてなり、故に、背もたれ板と背もたれパッド間の重畳面積が小さいので、材料浪費の問題を解決する。また、構造強度の設計上、背もたれ板の硬質外フレーム外面は軟質の弾性パッドを設置し、外フレームにより、弾性パッドがフレーム槽内に対接して固定されるので、背もたれパッドと背もたれ板のフレーム槽結合後、外フレームにより弾性パッドの辺縁を挟置する目的を達成し、軟、硬質を交互に挟置した設計なので、安定性があり、弾性パッドが脱離したり、損傷する問題が生じにくい。
【考案を実施するための最良の形態】
【０００７】
図１で示されるように、本考案の背もたれ１０は、主に、背もたれ板１と背もたれパッド２からなる。背もたれ板１は、スロット１１１を有するフレーム槽１１を設置している。背もたれパッド２は、弾性パッド２２により被覆されると共に、外フレーム２１で囲まれる。外フレーム２１の後端は、スロット１１１に対応する複数の鞘２１１を凸伸する（図２で示される）。
【０００８】
上述のような素子により、背もたれパッド２は、複数の鞘２１１をフレーム槽１１の複数のスロット１１１に照準させて、直接圧制して固定し、弾性パッド２２の外フレーム２１で囲まれる辺縁部分は、フレーム槽１１に挟置され（図３で示される）、軟、硬質が交互に挟まった状態を構成する。
【０００９】
上述の説明から分かるように、背もたれパッド２と背もたれ板１の結合は、鞘１１、スロット１１１の係固設計により快速に完成し、且つ、弾性パッド２２、外フレーム２１、及び、フレーム槽１１間の重畳面積は小さいので、大量の材料が重畳して、資源を浪費する公知の問題を解決する。また、背もたれパッド２、外フレーム２１と弾性パッド２２間の結合方式は、軟、硬質を交互に挟置した設計で、挟圧の接触摩擦力不足の問題を回避するだけでなく、緩衝特性を有し、結合力を増加させるので、安定性があり、弾性パッドが脱離したり、損傷する問題が生じにくい。
【００１０】
本考案の弾性パッド２２は、直接、外フレーム２１と射出成型して結合してもよく、また、実際の必要に応じて、ゴムからなる弾性パッド２２と外フレーム２１を組み合わせてもよい。
【００１１】
また、背もたれ板１のフレーム槽１１下方に、トラック３１を設置する腰用調整パッド３を固定し（図４、図５）、腰用調整パッド３は、腰パッド３は使用者の腰部を支承するもので、異なる使用者の体型によって、高度を調整することができる。
【図面の簡単な説明】
【００１２】
【図１】本考案の構造図である。
【図２】本考案の背もたれ板の断面図である。
【図３】本考案の外観図である。
【図４】本考案のもう一つの構造図である。
【図５】本考案のもう一つの外観図である。
【符号の説明】
【００１３】
１     
背もたれ板
１１    フレーム槽
１１１  スロット槽
２     
背もたれパッド
２１    外フレーム
２１１  鞘
２２    弾性パッド
３     
腰用調整パッド
３１    トラック
１０    背もたれ
【図１】
0003142157.tif 000003
【図２】
0003142157.tif 000004
【図３】
0003142157.tif 000005
【図４】
0003142157.tif 000006
【図５】
0003142157.tif 000007
(57)【要約】      （修正有）【課題】ヤニ取り部を外部から観察でき、必要に応じて清掃をしてパイプを清潔に保ちながら徐々にニコチン量等を減らして自然と禁煙ができるようにした禁煙パイプを提供する。【解決手段】前端にタバコＴを装着でき、かつ内周に径の異なるタバコＴを装着するために複数の段部１１、１２、１３を設けたタバコ装着部１０を構成し、このタバコ装着部１０の後端に微少空気孔を穿設した透光性材質よりなる中間部２０を着脱自在に取り付け、この中間部２０の後端に内部にヤニ取り部４０を固定した吸い口部３０を着脱自在に取付けてなる禁煙パイプ。【選択図】図２
0003142152.tif 000002
【実用新案登録請求の範囲】
【請求項１】
前方にタバコを装着するタバコ装着部と、このタバコ装着部の後端に微少空気孔を穿設した中間部を着脱自在に取り付け、この中間部の後端に、内部にヤニ取り部を固定した吸い口部を着脱自在に取り付けてなり、
前記タバコ装着部の前方内周に、径の異なるタバコを装着するために複数の段部を構成し、かつ前記タバコ装着部と中間部と吸い口部の全部または一部を透光性材質で構成したことを特徴とする禁煙パイプ。
【考案の詳細な説明】
【技術分野】
【０００１】
本考案は、喫煙者に対して負担をかけずに、徐々にニコチン量等を減らして自然と禁煙ができるようにした禁煙パイプに関する。
【背景技術】
【０００２】
従来より、禁煙を目的とする禁煙用パイプがあった。この禁煙用のパイプは、特許文献１に示すものであり、煙草挿入部、中間部、吸い口部を嵌合状態で固定し、内部にヤニ取り部を構成している。
そしてニコチン量をカットするために中間部に外部空気が入る微小空気孔を設け、この空気孔の径が異なる複数のパイプを作成し、喫煙するときに空気孔を徐々に大きくしたパイプを順次使用して、空気量を増大させることで、ある所定期間徐々にニコチン量をカットして、ニコチン禁断症状を解消させて煙草を止め易くするというものである。
【特許文献１】特開２００５−１９３２５１
【０００３】
しかしながら、前記禁煙パイプは中間部あるいは吸い口部が透明体あるいは半透明体で構成されていないため、ヤニ取り部に付着したヤニが目視できずヤニ取り部の清掃時期が分からないという問題点があった。
【考案の開示】
【考案が解決しようとする課題】
【０００４】
本考案は上記の点に鑑みなされたものであり、ヤニ取り部を外部から観察できるため、必要に応じて清掃ができパイプを清潔に保ちながら徐々にニコチン量等を減らして自然と禁煙ができるようにした禁煙パイプを提供するものである。
【課題を解決するための手段】
【０００５】
本考案の要旨とするところは、前方にタバコを装着するタバコ装着部と、このタバコ装着部の後端に微少空気孔を穿設した中間部を着脱自在に取り付け、この中間部の後端に、内部にヤニ取り部を固定した吸い口部を着脱自在に取り付けてなり、前記タバコ装着部の前方内周に、径の異なるタバコを装着するために複数の段部を構成し、かつ前記タバコ装着部と中間部と吸い口部の全部または一部を透光性材質で構成したことを特徴とする禁煙パイプである。
【考案の効果】
【０００６】
本考案は上記の構成であるため、喫煙者に対して負担やストレスをかけずに、ニコチン、タールを排除し最終的に禁煙を行うことができる。
また、タバコ装着部と中間部と吸い口部の全部または一部が透明体あるいは半透明体の透光性材質で構成されているため、使用者はヤニ取り部に付着したヤニやタールを外部より目視でき、ヤニやタールの体内への侵入がヤニ取り部によって防止されているという安心感を持つことができるため禁煙意欲が高まる。さらにヤニ取り部の清掃も必要に応じて行うことができるためパイプを清潔に保つことができる。
【考案を実施するための最良の形態】
【０００７】
本考案を実施するための最良の形態は、前端にタバコを装着でき、かつ内周に径の異なるタバコを装着するために複数の段部を設けたタバコ装着部を構成し、このタバコ装着部の後端に微少空気孔を穿設した透光性材質よりなる中間部を着脱自在に取り付け、この中間部の後端に内部にヤニ取り部を固定した吸い口部を着脱自在に取付けてなる禁煙パイプである。
【０００８】
以下、本考案の第１実施形態を図に基づいて説明する。
図１は第１実施形態の斜視図、図２は断面側面図及び図３は断面側面図の拡大分解図である。
【０００９】
禁煙パイプ１は、タバコ装着部１０、中間部２０ 、吸い口部３０、ヤニ取り部４０から構成される。これら各部１０、２０、３０、４０はそれぞれ着脱自在に嵌合しているため、これら各部を分解することによって、それぞれの内部の清掃等が容易に行える。
【００１０】
前記タバコ装着部１０の先端内周には、図示のように周壁に沿って段部１１、１２、１３を構成して、内径をＤ１、Ｄ２、Ｄ３と徐々に小さくなるように構成している。これはタバコの種類によってその直径が異なるため、多くの種類のタバコを使用できるようにしたものである。
【００１１】
前記中間部２０は、ほぼ円筒管状に形成され、その内部の管路２１には長手方向に直交するようにして隔壁２２が形成されていると共に、この隔壁２２には煙孔２３が形成されており、喫煙者はこの煙孔２３を通して、タバコの煙を吸うことができる。また中間部２０の周壁には外部と連通する直径ほぼ１ｍｍ程度の微少空気孔２８が構成されている。前記中間部２０は、透明あるいは半透明の透光性材質によって構成されているため、内部のヤニ取り部４０を外部より常に目視することができる。  
【００１２】
また、ヤニ取り部４０は円筒状で先端に凹部４２を構成し、周囲に４枚の羽根４１を立設してなり、後部を吸い口部３０に着脱自在に装着できる。
【００１３】
上記のように構成した本実施形態の作用について説明する。
まず、吸い口部３０にヤニ取り部４０を嵌合して、中間部２０の接続部２５を嵌合し、その後タバコ装着部１０の接続部１９を中間部２０に嵌合してパイプ本体を組み立てる（図１参照）。
【００１４】
この状態でタバコ装着部１０にタバコＴを装着して喫煙する。このときタバコ装着部１０の先端内径は３個の異なった径Ｄ１、Ｄ２、Ｄ３が構成されているので、径の異なる各種のタバコを装着することができる。
【００１５】
使用中に、タバコの煙は、ヤニ取り部４０の先端の凹部４２に当り、その後４枚の羽根４１に沿って吸い口部３０へと流れていく。
このとき、ヤニ取り部４０の表面にヤニやタールが一定以上付着してきたら、適宜吸い口部３０を中間部２０よりはずしてから、ヤニ取り部４０をはずして清掃すればよい。このように中間部２０を通してヤニ取り部４０が外部から見えるため適切な清掃が可能になると共に、前述のように喫煙時の安心感も得られる。
また、中間部２０だけでなく吸い口部３０を透光性材質で作成しても良い。
【図面の簡単な説明】
【００１６】
【図１】本考案の第１実施形態の斜視図
【図２】本考案の第１実施形態の断面側面図
【図３】本考案の第１実施形態の断面側面図の拡大分解図
【符号の説明】
【００１７】
１  禁煙パイプ
１０  タバコ装着部
１１  段部
１２  段部
１３  段部
２０  中間部
３０  吸い口部
４０  ヤニ取り部
Ｔ  タバコ
【図１】
0003142152.tif 000003
【図２】
0003142152.tif 000004
【図３】
0003142152.tif 000005
(57)【要約】      （修正有）【課題】足裏部分が穴開きで、指先が５本に分かれているという両方の機能を兼ね備えたストッキング類、及びタイツを提供する。【解決手段】足裏穴開き５本指ストッキング類、及びタイツは、足裏部分に伸縮性のある穴部１と、５本の指に別れた指先部２が形成されている。この足裏部分の穴部１は、足を引き出される伸縮性を持ち、爪先部２の編地は補強されていることが望ましい。【選択図】図１
0003142698.tif 000002
【実用新案登録請求の範囲】
【請求項１】
足裏部分に足を引き出せる伸縮性のある穴を設けた、５本指タイプのストッキング類、及びタイツ。
【考案の詳細な説明】
【技術分野】
【０００１】  本考案は、バレエ等の舞踊の際に着用するストッキング類、及びタイツに関する。
【背景技術】
【０００２】  従来のストッキング類、及びタイツは、足裏部分が穴開きで指先が５本に分かれているという両方の機能を備えているものがなかった。
【考案の開示】
【考案が解決しようとする課題】
【０００３】  しかしこれでは、着脱が容易ではなく、怪我等の手当てをする時においても不便であり、ストッキング類、及びタイツの中で、足の指先部分が圧迫され、指先を使い床を踏む安定感や動作性が十分ではない。
【課題を解決するための手段】
【０００４】  そこで足裏部分が穴開きで、指先が５本に分かれているという両方の機能を兼ね備えたストッキング類、及びタイツを考案した。
【考案の効果】
【０００５】  よって本考案の足裏穴開き５本指ストッキング類、及びタイツにより、５本の指への着脱も容易になり、手当てなども素早く対応でき、指先を自由に使えるという両方を体感できる。
【考案を実施するための最良の形態】
【０００６】  本考案に係る足裏穴開き５本指ストッキング類、及びタイツは、図１に示すように足裏部分に伸縮性のある穴部１と、５本の指に別れた指先部２が形成されている。この足裏部分の穴部１は、足を引き出される伸縮性を持ち、爪先部２の編地は補強されていることが望ましい。
【図面の簡単な説明】
【０００７】
【図１】  本考案に係る足裏穴開き５本指ストッキング類、及びタイツの全体図である。
【符号の説明】
【０００８】  １    足裏部分の穴
２    ５本指に分かれた指先部分
【図１】
0003142698.tif 000003
【手続補正書】
【提出日】平成20年3月13日(2008.3.13)
【手続補正１】
【補正対象書類名】実用新案登録請求の範囲
【補正対象項目名】全文
【補正方法】変更
【補正の内容】
【実用新案登録請求の範囲】
【請求項１】
足裏部分に足を引き出せる伸縮性のある穴を設けた、５本指タイプのストッキング。
(57)【要約】      （修正有）【課題】杖状マジックハンドの形態をなし、犬糞に直接触ることなく収納庫内部の斜平板により、糞の逆流を防ぐことで、複数回、糞を採集出来る杖状犬の糞取り器を提供する。【解決手段】レバー７をにぎることにより中のワイヤ１０が引きあがり、真柱を持ちあげる。プレート１１が胴体１に固定されているので、真柱が引きあげられた力により、開口部分が開かれレバー７を離すと、バネの反発力により開口部分が閉じる。本器全体を傾けることにより、収納庫５に採集した糞が収まる。本器の採集器と収納庫に４５度の斜平板を、取り付けることにより糞の逆流を防ぎ、複数回、採取できる。【選択図】図５
0003142693.tif 000002
【実用新案登録請求の範囲】
【請求項１】
ステッキ状の杖の先端を、握ることにより開口部が開き糞を掴み、本器を傾けることにより収納庫に糞が収まる
この時図３の２の斜平板により糞の逆流を防ぐことができる。
本器は、４５度の斜平板部分を特徴とする犬の糞取り器である。
【考案の詳細な説明】
【技術分野】
【０００１】本考案は、収納庫内及び採取器内に４５度の斜平板を設けた犬の糞取り器である。
【背景技術】
【０００２】従来の杖状糞取り器では、一度しか掴み収納できなかったものが、本器では、複数回採取でき、収納できます。
【考案の開示】
【考案が解決しようとする課題】
【０００３】犬を、散歩させるときにいままでは袋、スコップなどを持ち歩き、見た目も悪く機能的ではなかったが、本器では見た目も良く清潔感があり複数回，糞を採取できる
【課題を解決するための手段】
【０００４】杖状マジックハンドの形態をなしているので、糞を、直接触ることなく収納庫内部の斜平板により、糞の逆流を防ぐことで、複数回、糞を採取できる。
【考案の効果】
【０００５】杖状なので、見た目もよく本器内部は水で洗い流せ、糞の処理も手早くできる。
【考案を実施するための最良の形態】
【０００６】本器のレバーを握ることにより４の開閉部が開き本器を傾けることにより、５の収納庫に収まり２の斜平板によって、糞の逆流をぐ１１の取っ手を、つまみ、蓋をはずして糞を、なげます。
【実施例】
【０００７】本器７のレバーをにぎることにより中の１０のワイヤーが引きあがり８の真柱を持ち上げる  プレート１１が固定だれているので真柱８の引き上げられた力により開口部分が開かれレバー７を離すことにより１０のワイヤーの引きあがる力がなくなりバネの反発力により開口部分が閉じます。
【産業上の利用可能性】
【０００８】本器は主にプラスチックで、生成されており本器を、製造  販売する分野で利用される。
【図面の簡単な説明】
【０００９】
【図１】代表図
【図２】開口部
【図３】開口部  収納庫  断面図
【図４】開口部側面図
【図５】開口部  部品図
【符号の説明】
【０００１０】１  胴体
２  斜平板
３  開口部Ａ
４  開口部Ｂ
５  収納庫
６  握り
７  レバー
８  真柱
９  バネ
１０  ワイヤー
１１  プレート
１２  取っ手
【図１】
0003142693.tif 000003
【図２】
0003142693.tif 000004
【図３】
0003142693.tif 000005
【図４】
0003142693.tif 000006
【図５】
0003142693.tif 000007
【図６】
0003142693.tif 000008
【手続補正書】
【提出日】平成20年3月13日(2008.3.13)
【手続補正１】
【補正対象書類名】実用新案登録請求の範囲
【補正対象項目名】全文
【補正方法】変更
【補正の内容】
【実用新案登録請求の範囲】
【請求項１】
採集器、収納庫、及び採集器と収納庫にまたがる斜平板を有するステッキ状糞取り器であって、ステッキ状の先端を握ることにより採集器の開口部が開き、糞を掴み、本器を傾けることにより収納庫に糞が収まり、この時、斜平板により糞の逆流を防ぐことができるステッキ状糞取り器。
【手続補正２】
【補正対象書類名】明細書
【補正対象項目名】０００９
【補正方法】変更
【補正の内容】
【０００９】
【図１】  代表図
【図２】  開口部
【図３】  開口部  収納庫  断面図
【図４】  開口部側面図
【図５】  開口部  部品図
【図６】  採集器  分解図